(57)【要約】【課題】リアクターの放熱性を向上させて、リアクター周辺の電子部品の温度上昇、及びリアクターでの損失増加を防止したヒートポンプ給湯器のヒートポンプユニットを提供する。【解決手段】リアクター２１に放熱用のアルミフィン２２を取り付け、アルミフィン２２を送風機１４の送風経路途上に配置する。これによって、送風機１４からの送風によりリアクター２１が強制冷却されるため、リアクター２１の放熱性を向上させることができる。【選択図】図１
2011196591.tif 000002
【特許請求の範囲】
【請求項１】
圧縮機、給湯用熱交換器、減圧装置、放熱用熱交換器を冷媒配管により環状に接続して構成されたヒートポンプ回路と、前記放熱用熱交換器に送風する送風機と、前記圧縮機、及び前記送風機を制御する制御回路基板と、この制御回路基板に接続されたリアクターを有するヒートポンプ給湯器のヒートポンプユニットにおいて、前記リアクターに放熱用のアルミフィンを取り付け、前記アルミフィンの一部を前記送風機の送風経路途上に配置したことを特徴とするヒートポンプ給湯器のヒートポンプユニット。
【請求項２】
リアクターを制御回路基板上に実装したことを特徴とした請求項１に記載のヒートポンプ給湯器のヒートポンプユニット。
【発明の詳細な説明】
【技術分野】
【０００１】
本発明はヒートポンプ給湯器のヒートポンプユニットに関するもので、例えばインバータ回路を搭載するヒートポンプユニットのリアクターの冷却方法に関するものである。
【背景技術】
【０００２】
図４に従来技術におけるヒートポンプ給湯器のヒートポンプユニットの構成図を示す（例えば特許文献１参照）。本文献は空気調和機に関するものであるが、空気調和気の室外機と構成が同一となるヒートポンプ給湯器のヒートポンプユニットに適用できる。
【０００３】
図４は、ヒートポンプユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。
【０００４】
この電装品ボックス１９の送風機室１５側には圧縮機１６への大電流を流し高温に発熱するパワートランジスタ等の放熱板２６を電装品ボックス１９に開口部を設けて送風機室１５側に臨ませたものが一般的に知られている。圧縮機室１７側の下部には圧縮機１６が設置され、この圧縮機１６と電装品ボックス１９の中間あたりで仕切り板１２に圧縮機室１７側からリアクター２１を固定することも一般的に知られている。電装品ボックス１９とリアクター２１は圧縮機室１７側でリード線２３により接続されている。
【先行技術文献】
【特許文献】
【０００５】
【特許文献１】特開２００９−２５０５２５号公報
【発明の概要】
【発明が解決しようとする課題】
【０００６】
しかしながら、前記従来の構成では、次のような課題がある。リアクターに大電流が流れ続けた場合、リアクターの温度が上昇して、リアクター周辺の機器、特に電装品ボックス内部の電子部品を輻射熱によってあぶり、雰囲気温度を上昇させるため、電子部品の寿命を短くすることがあるという課題を有していた。また、リアクターの温度が上昇すると銅線の温度特性により直流抵抗が大きくなり、リアクターでの損失が増加するため、ヒートポンプ給湯器の電力消費効率を悪化させるという課題もあった。
【０００７】
本発明は、前記従来の課題を解決するもので、リアクターの放熱性を向上させ、リアクター周辺の電子部品の温度上昇、及びリアクターでの損失増加を防止したヒートポンプ給湯器のヒートポンプユニットを提供することを目的とする。
【課題を解決するための手段】
【０００８】
前記従来の課題を解決するために、本発明のヒートポンプ給湯器のヒートポンプユニットは、リアクターに放熱用のアルミフィンを取り付け、アルミフィンの一部を送風機の送風経路途上に配置したものである。これによって、送風機からの送風により、リアクターの放熱性を向上させることができるため、リアクター周辺の電子部品の温度上昇、及びリアクターでの損失増加を防止することができる。
【発明の効果】
【０００９】
本発明のヒートポンプ給湯器のヒートポンプユニットは、リアクターの放熱性を向上させて、リアクター周辺の電子部品の温度上昇を防止し、電子部品を長寿命化させることができる。また同時にリアクターでの損失増加を防止し、ヒートポンプ給湯器の電力消費効率を向上させることができる。
【図面の簡単な説明】
【００１０】
【図１】本発明の実施の形態１におけるヒートポンプ給湯器のヒートポンプユニットの構成図
【図２】本発明の実施の形態１おけるリアクターの取り付け構造図
【図３】本発明の実施の形態２におけるヒートポンプ給湯器のヒートポンプユニットの構成図
【図４】従来技術におけるヒートポンプ給湯器のヒートポンプユニットの構成図
【発明を実施するための形態】
【００１１】
第一の発明は、圧縮機、給湯用熱交換器、減圧装置、放熱用熱交換器を冷媒配管により環状に接続して構成されたヒートポンプ回路と、前記放熱用熱交換器に送風する送風機と、前記圧縮機、及び前記送風機を制御する制御回路基板と、この制御回路基板に接続されたリアクターを有するヒートポンプ給湯器のヒートポンプユニットにおいて、前記リアクターに放熱用のアルミフィンを取り付け、前記アルミフィンを前記送風機の送風経路途上に配置した。このことにより、リアクターの放熱性を向上させることができるため、周辺の電子部品の温度上昇、及びリアクターでの損失増加を防止することが可能となる。
【００１２】
第二の発明は、特に、第一の発明のうち、リアクターを制御回路基板上に実装し、既存のパワートランジスタ等の放熱板をリアクター放熱用のアルミフィンとして共用する構成とした。このことにより、第一の発明に記載の制御回路基板〜リアクター間の接続および、放熱用のアルミフィンが不要となるため、第一の発明に対してコストダウンした上で同等の効果を得ることが可能となる。
【００１３】
（実施の形態１）
以下、本発明の実施の形態１におけるヒートポンプ給湯器のヒートポンプユニットの構成について図面を用いて説明する。図１に本発明の実施の形態１おけるヒートポンプ給湯器のヒートポンプユニットの構成図を示す。図１は、ヒートポンプユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。圧縮機室１７側の下部には圧縮機１６が設置されている。この圧縮機１６と電装品ボックス１９の中間あたりで仕切り板１２に開口部２０を設けている。リアクター２１に放熱用のアルミフィン２２を取り付けて、アルミフィン２２を開口部２０から送風機室１５側に臨ませる状態で、リアクター２１を仕切り板１２に固定している。制御回路基板１８とリアクター２１は、リード線２３により圧縮機室１７側で接続されている。
【００１４】
図２に本発明の実施の形態１おけるリアクターの取り付け構造図を示す。図２において、２４はリアクター２１の鉄芯部分に溶接された金属製ブラケットである。アルミフィン２２は、ビス２５で金属製ブラケット２４に固定されている。開口部２０は、リアクター２１を仕切り板１２に取り付けた状態でアルミフィン２２により大半が塞がる寸法に設計し、開口部２０とアルミフィン２２の若干の隙間は、送風機室１５から圧縮機室１７に風雨が侵入しないようシリコンなどの樹脂材料で完全に塞がれている。
【００１５】
これにより、送風機１５の冷却作用によりリアクター２１が強制冷却されるため、リア
クター２１の放熱性を向上させることができる。
【００１６】
（実施の形態２）
図３に本発明の実施の形態２におけるヒートポンプ給湯器のヒートポンプユニットの構成図を示す。図３は、本発明の実施の形態１（図１）に記載のリアクター２１を制御回路基板１８にはんだ付けで電気的に接続し、リアクター２１の鉄芯部分に溶接された金属製ブラケット２４と高温に発熱するパワートランジスタ等の放熱板２６をビス２５で固定している。
【００１７】
これにより、本発明の実施の形態１（図１）で必要であった制御回路基板１８とリアクター２１を接続するリード線２３および、アルミフィン２２が不要となるため、実施の形態１に対してコストダウンした上で同等の効果を得ることができる。
【産業上の利用可能性】
【００１８】
以上のように、本発明にかかるヒートポンプ給湯器のヒートポンプユニットは、リアクターの放熱性を向上させて、リアクター周辺の電子部品の温度上昇、及びリアクターでの損失増加を防止することができるため、ヒートポンプ給湯器のヒートポンプユニットと同様の構成を持つ空気調和機への利用として有用である。
【符号の説明】
【００１９】
１１  ヒートポンプユニット底板
１２  仕切り板
１３  放熱用熱交換器
１４  送風機
１５  送風機室
１６  圧縮機
１７  圧縮機室
１８  制御回路基板
１９  電装品ボックス
２０  開口部
２１  リアクター
２２  アルミフィン
２３  リード線
２４  金属製ブラケット
２５  ビス
２６  放熱板
【図１】
2011196591.tif 000003
【図２】
2011196591.tif 000004
【図３】
2011196591.tif 000005
【図４】
2011196591.tif 000006